(57)【特許請求の範囲】
【請求項１】
上方付勢された押下げ部材（３０）の押下げにより、容器体（１）内に収納された内容物を吐出可能な押下げ式吐出器において、
前記押下げ部材（３０）の下動域を規制することで吐出量を調節可能な吐出量調節手段を容器体口頸部に設け、
吐出量調整手段は、
上端に螺筒（１３）を設けた装着筒（１０）を容器体口頸部へ取り付けると共に、上面閉塞の内外２重筒で形成した操作筒（２０）を螺筒（１３）に螺合させて上下動自在に取り付け、操作筒（２０）の内筒（２１）に押下げ部材（３０）へ係合して押下げ部材（３０）の下動下限を規制する規制部（２２）を設け、規制部（２２）の上下位置を操作筒（２０）の上下動操作により設定可能に設けることで吐出量を調節可能にした
ことを特徴とする押下げ式吐出器。
【発明の詳細な説明】
【技術分野】
【０００１】
本発明は、押下げヘッド等の押下げ部材を押下げることで容器体に収納された液体等の内容物をノズルから吐出可能な押下げ式吐出器に関する。
【背景技術】
【０００２】
押下げ式吐出器は、押下げヘッドの押下げにより液体や泡等を吐出させるものであるが、このような吐出器として、図４に示すように、容器体１００内から頂壁１０１を貫通して上方へ付勢されたステム１０２へノズル連通筒１０３を介して押下げヘッド１０４を嵌合させ、押下げヘッドの押下げにより、ノズル１０５から液体等を吐出可能に設けたものが知られている(特許文献１)。
【特許文献１】特開２００２−２９２３１６号公報
【発明の開示】
【発明が解決しようとする課題】
【０００３】
しかしながら特許文献１記載の発明では、吐出量を調節したい場合には、押下げヘッドの押下げ量を勘によって加減するほかなく、このため吐出量の調節が面倒かつ難しいものとなっていた。
【０００４】
本発明の目的は、吐出量の調節が容易な押下げ式吐出器を提供することにある。
【課題を解決するための手段】
【０００５】
本発明は、上方付勢された押下げ部材３０の押下げにより、容器体１内に収納された内容物を吐出可能な押下げ式吐出器において、
前記押下げ部材３０の下動域を規制することで吐出量を調節可能な吐出量調節手段を容器体口頸部に設け、
吐出量調整手段は、
上端に螺筒１３を設けた装着筒１０を容器体口頸部へ取り付けると共に、上面閉塞の内外２重筒で形成した操作筒２０を螺筒１３に螺合させて上下動自在に取り付け、操作筒２０の内筒２１に押下げ部材３０へ係合して押下げ部材３０の下動下限を規制する規制部２２を設け、規制部２２の上下位置を操作筒２０の上下動操作により設定可能に設けることで吐出量を調節可能にした
ことを特徴とする。
【発明の効果】
【００１０】
本発明は、押下げ部材の下動域を規制することで吐出量を調節可能な吐出量調節手段を容器体口頸部に設けたので、吐出量の調節が容易である。
【００１１】
また、本発明は、押下げ部材の下動下限を規制する規制部の上下位置を設定可能に設けたので、押下げ量の調節を勘に頼ることなく行うことができ、したがって、吐出量の定量調節が可能となる。
【発明を実施するための最良の形態】
【００１２】
以下、本発明を、図面に示す実施の形態を参照しながら説明する。
１は容器体で、胴部２上端から肩部を介して口頸部３を起立する。
【００１３】
１０は装着筒で、口頸部３外面へ周壁１１を螺合させ、また、周壁１１上端に内向きフランジ１２を付設し、さらに、内向きフランジ１２上面から螺筒１３を起立している。
【００１４】
内向きフランジ１２はパッキン１４を介して環状部材１５の外周部を口頸部３上面へ圧接している。
【００１５】
２０は操作筒で、上面閉塞の内外2重筒から形成されていて、内外2重筒間の環状間隙へ螺筒１３が嵌合されている。また、内筒２１下端には規制部としての内向きフランジ２２が付設されている。なお、図１に示す例では、螺筒１３外面と外筒２３内面にネジ部が形成されているが、これに限らず螺筒１３内面と内筒２１外面にネジ部を形成することも可能である。
【００１６】
３０は押下げ部材で、図示しないノズルを突設していて、該ノズルに連結されたノズル連通管(図示せず)が、容器体１の頂壁を貫通して上方へ付勢されたステム(図示せず)へ連結されている。また、押下げ部材３０は、押下げにより内向きフランジ２２上面へ当接可能な係合片３１を垂下している。
【００１７】
次に作用について説明する。押下げ部材３０を押下げると、図示しないステムが下降してノズルから液体等が吐出される。その際、押下げ部材３０の下降は、係合片３１が内向きフランジ２２上面へ当接することで停止する。すなわち、押下げ部材３０の下降ストローク(下動域)はＢで示される範囲である。
【００１８】
吐出量を少なくするには、操作筒２０を反時計方向へ回動すればよく、すると点線で示すように内向きフランジ２２が上昇する。この状態で押下げヘッド３０を押下げると、係合片３１が点線で示される位置の内向きフランジ２２に当接するため、吐出量が減少する。その際の押下げ部材３０の下降ストロークはＡで示される範囲である。
【００１９】
図２は他の実施形態を示す。４０は装着筒で、口頸部３外面へ螺合された周壁４１上端に内向きフランジ４２が付設されており、該内向きフランジ４２上面から内外2重筒からなる螺筒４３が立設されている。該螺筒４３の内筒４３ａ外面には回り止め用の係合突条４４が周方向に所定の間隔をおいて複数縦設されている。さらに、螺筒の内筒４３ａの上端には内向きフランジを介して垂下筒４６が垂下されている
【００２０】
５０は操作筒で、上面閉塞の内外2重筒からなり、内外2重筒間の間隙へ螺筒４３の外筒４５が嵌合されている。
【００２１】
６０は昇降筒で、周壁６１外面が操作筒５０の内筒内面に螺合されている。周壁６１下端には内向きフランジ６４が付設されており、該内向きフランジ６４の内周部には割溝６２が周方向に所定の間隔をおいて複数形成されている。該割溝６２には係合突条４４が係合しており、したがって、操作筒５０を回動させても昇降筒６０は回動することなく上下動することが可能である。その他の構成は図１に示す第１の実施形態と同様であるから説明を省略する。
【００２２】
次に作用について説明する。押下げ部材３０を押下げると、係合片３１が昇降筒６０の内向フランジ６４(規制部)に当接して停止する。このときの押下げ部材３０のストロークはＢで示される範囲である。
【００２３】
吐出量を少なくするには、操作筒５０を反時計方向へ回動すればよく、すると点線で示すように昇降筒６０が上昇する。この状態で押下げヘッド３０を押下げると、係合片３１が点線で示される位置の内向きフランジ６４に当接するため、吐出量が減少する。その際の押下げ部材３０の下降ストロークはＡで示される範囲である。
【００２４】
図３、４はさらなる他の実施形態を示す。７０は装着筒で、口頸部３外面へ螺合させた周壁７１上端に内向きフランジ７２を付設して、該内向きフランジ７２上面から内外2重筒からなる螺筒７３を起立している。
【００２５】
８０は操作筒で、下面閉塞の内外2重筒からなり、該内外２重筒が螺筒７３の内外2重筒間の間隙内へ嵌合されていて、操作筒の内筒８１が螺筒７３の内筒７４外面へ螺合されている。また、操作筒８０の外筒８２上端には外向きフランジを介して嵌合筒８３が垂下されており、該嵌合筒８３は螺筒７３の外筒７５外面へ螺合されている。その他の構成は第１実施形態と同様であるから説明を省略する。
【００２６】
次に作用について説明する。押下げ部材３０を押下げると、係合片３１が操作筒８０の内外2重筒間に進入して、規制部としての内外2重筒間の底壁８４に当接する。
【００２７】
吐出量を少なくするには、操作筒８０を反時計方向へ回動すればよく、すると該操作筒８０の内外2重筒上昇する(図３参照)。この状態で押下げヘッド３０を押下げると、係合片３１が上昇後の底壁８４に当接するため、吐出量が減少する。
【００２８】
なお、上記いずれの場合においても、装着筒から目盛板を操作筒の外方へ立設して、目盛板に操作筒の下端に対応する表示、例えば、吐出量多、中、少を表示することで吐出量の多寡を容易に視認することができる。
【図面の簡単な説明】
【００２９】
【図１】本発明に係る押下げ式吐出器の要部断面図である。
【図２】他の実施形態の図１相当図である。
【図３】さらなる他の実施形態の図１相当図である。
【図４】図３の作用説明図である。
【図５】従来例の断面図である。
【符号の説明】
【００３０】
１  容器体
３  周壁
１０、４０、７０  装着筒
２０、５０、８０  操作筒
２２  規制部としての内向きフランジ２２
３０  押下げ部材
６０  昇降筒
６４  規制部としての内外2重筒間の底壁６４
【図１】
0005240761.tif 000002
【図２】
0005240761.tif 000003
【図３】
0005240761.tif 000004
【図４】
0005240761.tif 000005
【図５】
0005240761.tif 000006